(57)【特許請求の範囲】
【請求項１】
画像を表示するとともに、その表示面上における利用者による接触操作を検出し、その接触位置を出力するタッチパネルと、
前記タッチパネルから前記接触位置を受け取り、前記接触位置により複数の閉領域が形成される場合、前記複数の閉領域内において、操作のための画像を表示するように制御する入出力制御部とを備え、
前記入出力制御部は、前記複数の閉領域に応じて、一組の処理画像を決定し、当該決定した前記一組の処理画像を前記複数の閉領域内に表示するよう制御する
ことを特徴とする携帯端末装置。
【請求項２】
前記入出力制御部は、さらに、前記閉領域が形成された後、前記タッチパネルから出力される接触位置のうち、前記閉領域内に存在するもののみを受け取る
ことを特徴とする請求項１に記載の携帯端末装置。
【請求項３】
前記入出力制御部は、前記閉領域内において、少なくとも１個の処理画像を表示し、
前記処理画像は、当該携帯端末装置において動作するアプリケーションプログラムを起動させるために用いられる
ことを特徴とする請求項１に記載の携帯端末装置。
【請求項４】
前記アプリケーションプログラムは、音声により電話の発呼を行い、通話することができる機能を有する
ことを特徴とする請求項３に記載の携帯端末装置。
【請求項５】
当該携帯端末装置において動作する複数のアプリケーションプログラムには、優先順位が設定されており、
前記入出力制御部は、より高い優先順位が設定されているアプリケーションプログラムについての処理画像を表示する
ことを特徴とする請求項３に記載の携帯端末装置。
【請求項６】
前記入出力制御部は、前記閉領域の大きさに応じて、前記閉領域内に表示可能な処理画像の数を算出し、算出された数の処理画像を表示する
ことを特徴とする請求項３に記載の携帯端末装置。
【請求項７】
前記携帯端末装置は、さらに、
前記閉領域に表示可能な処理画像の数に対応して、処理画像の数と同数の処理画像識別子を記憶している記憶部を含み、
前記処理画像識別子は、処理画像を識別し、
前記入出力制御部は、前記記憶部から処理画像識別子を読み出し、読み出した処理画像識別子により識別される処理画像を表示する
ことを特徴とする請求項６に記載の携帯端末装置。
【請求項８】
前記複数の閉領域は、複数の接触位置により形成され、開始点とは異なる終了点において終了する仮想的な軌跡、及び、前記表示面の一つの辺又は複数の辺により形成される閉領域を含む
ことを特徴とする請求項１に記載の携帯端末装置。
【請求項９】
携帯端末装置において用いられる制御方法であって、
前記携帯端末装置は、画像を表示するともに、その表示面上における利用者による接触操作を検出し、その接触位置を出力するタッチパネルを含み、
前記制御方法は、
前記タッチパネルにより、前記接触位置を出力する出力ステップと、
前記タッチパネルから前記接触位置を受け取り、前記接触位置により複数の閉領域が形成される場合、前記複数の閉領域内において、操作のための画像を表示するように制御する入出力ステップとを含み、
前記入出力ステップは、前記複数の閉領域に応じて、一組の処理画像を決定し、当該決定した前記一組の処理画像を前記複数の閉領域内に表示するよう制御する
ことを特徴とする制御方法。
【発明の詳細な説明】
【技術分野】
【０００１】
本発明は、携帯端末装置に関する。
【背景技術】
【０００２】
近年、表示パネル及びタッチパッドから構成されるタッチパネルを備える携帯端末装置が用いられるようになってきている。
特許文献１によると、携帯端末装置は、ＬＣＤパネルによる表示画面を有し、表示画面には、文字入力領域が設けられている。当該文字入力領域には、タッチパネルが形成されている。表示画面上に、通常のキーボードにおける英数字等のキーの配置と同様に、英数字等が配されて表示される。操作者は、表示画面上に表示された文字位置を指等で触れることにより、所望の文字入力を行う。
【先行技術文献】
【特許文献】
【０００３】
【特許文献１】特開平０６−２５０７８８号公報
【発明の概要】
【発明が解決しようとする課題】
【０００４】
主としてタッチパネルに対する接触により操作される携帯端末装置を、例えば、机の上から床面に落としたような場合に、タッチパネルの表示面が破損することがある。このような場合、表示面の一部分のみが破損する場合がある。つまり、表示面のうち破損した部分においては、画像を視認できないが、表示面のうち破損していない部分においては、画像を視認できるのである。しかし、当該携帯端末装置は、表示面全体に操作のための様々な画像を表示し、これらの画像に対する接触により操作を受け付ける。このため、表示面において、画像を視認できない部分が存在すると、接触による操作が有効に機能しない。こうして、当該携帯端末装置は、実質的に全損と同等となる。
【０００５】
本発明は、このような問題を解決し、操作性を向上させることが可能な携帯端末装置及び制御方法を提供することを目的とする。
【課題を解決するための手段】
【０００６】
上記目的を達成するために、本発明の一態様は、画像を表示するとともに、その表示面上における利用者による接触操作を検出し、その接触位置を出力するタッチパネルと、前記タッチパネルから前記接触位置を受け取り、前記接触位置により複数の閉領域が形成される場合、前記複数の閉領域内において、操作のための画像を表示するように制御する入出力制御部とを備え、前記入出力制御部は、前記複数の閉領域に応じて、一組の処理画像を決定し、当該決定した前記一組の処理画像を前記複数の閉領域内に表示するよう制御することを特徴とする携帯端末装置である。
【発明の効果】
【０００７】
この態様によると、操作性を向上させることが可能な携帯端末装置及び制御方法を提供できる。
【図面の簡単な説明】
【０００８】
【図１】本発明に係る実施の形態１としての携帯端末装置１００の外観斜視図である。
【図２】携帯端末装置１００の構成を示すブロック図である。
【図３】アイコングループテーブル１３０のデータ構造の一例を示す。
【図４】アイコンテーブル１４０のデータ構造の一例を示す。
【図５】アイコン表示位置テーブル１５０のデータ構造の一例を示す。
【図６】タッチパネル１１１の一部分が破損する場合の具体例である。
【０００９】
（ａ）破損直後のタッチパネル３１１において、画像が視認できる部分３１２と、視認できない部分３１３〜３１７とを示す。また、利用者による接触操作により形成された軌跡３１８を示す。
（ｂ）破損時表示領域が指定された後のタッチパネル３２１において、部分３１２にアイコン３２２が表示される様子を示す。
【図７】タッチパネル１１１の一部分が破損する場合の別の具体例である。
【００１０】
（ａ）破損直後のタッチパネル３３１において、画像が視認できる部分３３２と、視認できない部分３３３〜３３７とを示す。また、利用者による接触操作により形成された軌跡３３８を示す。
（ｂ）破損時表示領域が指定された後のタッチパネル３４１において、部分３３２にアイコン３４２〜３４５が表示される様子を示す。
【図８】タッチパネル１１１の一部分が破損する場合の別の具体例である。
【００１１】
（ａ）破損直後のタッチパネル３５１において、画像が視認できる部分３５２と、視認できない部分３５３〜３５７とを示す。また、利用者による接触操作により形成された軌跡３５８を示す。
（ｂ）破損時表示領域が指定された後のタッチパネル３６１において、部分３５２にアイコン３６２〜３６６、・・・が表示される様子を示す。
【図９】タッチパネル１１１の一部分が破損する場合の別の具体例である。
【００１２】
（ａ）破損直後のタッチパネル３７１において、画像が視認できる部分３７２及び部分３７７と、視認できない部分３７３〜３７６とを示す。また、利用者による接触操作により形成された軌跡３７８及び軌跡３７９を示す。
（ｂ）破損時表示領域が指定された後のタッチパネル３８１において、部分３７２にアイコン３８２〜３８５が表示される様子を示す。
【図１０】タッチパネル１１１の一部分が破損する場合の別の具体例である。破損直後のタッチパネル３９１において、画像が視認できる部分３９２と、視認できない部分３９３〜３９６とを示す。また、利用者による接触操作により形成された軌跡３９７を示す。
【図１１】タッチパネル１１１の一部分が破損する場合の別の具体例である。破損直後のタッチパネル４０１において、画像が視認できる部分４０２と、視認できない部分４０３〜４０６とを示す。また、利用者による接触操作により形成された軌跡４０７を示す。
【図１２】タッチパネル１１１の一部分が破損する場合の別の具体例である。破損直後のタッチパネル４１１において、画像が視認できる部分４１２と、視認できない部分４１３〜４１６とを示す。また、利用者による接触操作により形成された軌跡４１７を示す。
【図１３】タッチパネル１１１の一部分が破損する場合の別の具体例である。破損直後のタッチパネル４２１において、画像が視認できる部分４２２及び４２６と、視認できない部分４２３〜４２５とを示す。また、利用者による接触操作により形成された軌跡４２７及び軌跡４２８を示す。
【図１４】タッチパネル１１１の一部分が破損する場合の別の具体例である。
【００１３】
（ａ）破損直後のタッチパネル４３１において、画像が視認できる部分４３２と、視認できない部分４３３〜４３６とを示す。破損時表示領域が指定される途中の段階を示す。
（ｂ）破損直後のタッチパネル４４１において、利用者による接触操作により形成された軌跡面４４２を示す。
【図１５】携帯端末装置１００における特定ボタンがＯＮとなる前後における時間的経過を示すタイムチャートである。特定ボタンがＯＮとなる前後において、タッチパネル１１１から位置情報が出力される。時刻ｔ１から時刻ｔ２までの時間帯に出力された位置情報が位置情報記憶領域１２０に記憶される。
【図１６】破損時表示領域に表示されるアイコンの配置数及びアイコンの配置位置を特定する方法を示す一例である。
【図１７】破損時表示領域に表示するアイコンの配置数及びアイコンの配置位置を決定するための判断手法を示す判断テーブル１６０である。
【図１８】破損時表示領域に表示されるアイコンの配置数及びアイコンの配置位置を特定する方法を示す別の一例である。
【図１９】破損時表示領域に表示されるアイコンの配置数及びアイコンの配置位置を特定する方法を示す別の一例である。
【図２０】携帯端末装置１００の動作を示すフローチャート（その１）である。図２１へ続く。
【図２１】携帯端末装置１００の動作を示すフローチャート（その２）である。図２０から続く。
【図２２】破損時表示領域に表示されるアイコンの配置数及びアイコンの配置位置を特定する手順を示すフローチャートである。
【発明を実施するための形態】
【００１４】
１．実施の形態１
本発明に係る一の実施の形態としての携帯端末装置１００について説明する。
携帯端末装置１００は、図示していない基地局及び携帯電話網を介して、他の携帯端末装置や携帯電話機との間で、通話又は電子メールの送受信が可能となるように構成されている。また、携帯端末装置１００は、アプリケーションプログラムを実行させることにより、そのアプリケーションプログラムが有する機能を果たすことができる。アプリケーションプログラムの機能は、例えば、音楽の再生、映画の再生、カレンダーの表示、アラームの設定及び警告、辞書の検索、文書の表示及び入力などである。
【００１５】
また、携帯端末装置１００は、図１に示すように、その正面において、表示面が露出するように、タッチパネル１１１が配置されている。利用者は、主として、タッチパネル１１１上に指先等を接触させながら、接触させた指先等をタッチパネル１１１上を滑らすように移動させる。これにより、携帯端末装置１００に対する操作を行う。
タッチパネル１１１には、図１に示すように、複数のアイコン（処理画像）が表示されている。各アイコンは、携帯端末装置１００において動作するアプリケーションプログラムを起動させるために用いられる。
【００１６】
１．１  携帯端末装置１００の構成
携帯端末装置１００は、図２に示すように、アンテナ１０１、通信回路１０２、音声処理部１０３、スピーカ１０４、マイクロホン１０５、通信制御部１０６、音声制御部１０７、主制御部１０８、入出力制御部１０９、記憶部１１０、タッチパネル１１１、バイブレータ１１２、操作部１１３及び電源ランプ１１４から構成されている。
【００１７】
（１）記憶部１１０
記憶部１１０は、不揮発性の半導体メモリから構成されている。記憶部１１０は、位置情報記憶領域１２０、アイコングループテーブル１３０及びアイコンテーブル１４０及びアイコン表示位置テーブル１５０を有している。また、記憶部１１０は、複数のアプリケーションプログラム及び複数のアイコンを記憶している。
【００１８】
（位置情報記憶領域１２０）
位置情報記憶領域１２０は、タッチパッド部１１１ａから出力される複数の位置情報を記憶するための領域を備えている。
位置情報記憶領域１２０は、タッチパッド１１１ａから出力される全ての位置情報を記憶しない。位置情報記憶領域１２０は、タッチパッド１１１ａから出力される位置情報のうち、特定ボタンに対する特定の操作がされている時間帯中に出力される位置情報のみを記憶する。なお、特定ボタン及び特定の操作については、後述する。
【００１９】
また、位置情報記憶領域１２０は、タッチパッド部１１１ａから出力される複数の位置情報を、出力される順序に従って、記憶する。
位置情報記憶領域１２０に記憶されている複数の位置情報の一例を図１５に示す。この図に示すように、位置情報記憶領域１２０は、位置情報Ｐ６、Ｐ７、・・・、Ｐ１３を、この順序で、記憶している。
【００２０】
後述するように、位置情報記憶領域１２０に記憶されている複数の位置情報を用いて、閉領域が形成されるか否かが判断される。閉領域が形成されると判断される場合に、タッチパネル１１１において、当該閉領域である破損時表示領域内に、指定されたアイコンが表示される。
（アイコングループテーブル１３０）
アイコングループテーブル１３０は、タッチパネル１１１に表示されるアイコンのグループを示すためのデータテーブルである。
【００２１】
タッチパネル１１１が破損した場合、その状況は、様々である。この場合に、その一部分において、画像が視認できることもある。また、画像が視認できる部分の大きさは、それぞれの破損状況に応じて異なるものとなる。当該部分において、利用者の接触操作により、破損時表示領域が指定される。また、指定された破損時表示領域において、その大きさに応じた数のアイコンが表示される。従って、画像が視認できる部分の大きさに応じて、破損時表示領域に表示すべきアイコンを定めておく必要がある。
【００２２】
このような必要を満たすために、各グループは、タッチパネル１１１が破損した場合、画像が視認できる当該部分の大きさに対応している。各グループは、画像が視認できる部分の大きさに応じて、破損時表示領域に表示すべきアイコンを定めるために用いられる。
また、タッチパネル１１１が破損した場合に、画像を視認できる部分が複数個存在することもありうる。このような場合には、それぞれの部分について、利用者の接触操作により、破損時表示領域が指定される。また、指定された破損時表示領域において、その大きさに応じた数のアイコンが表示される。従って、このような場合においても、複数個存在する部分の大きさに応じて、表示すべきアイコンを定めておく必要がある。
【００２３】
このような必要を満たすために、各グループには、１個又は複数個のサブグループが含まれている。画像が視認できる部分が複数個存在する場合に、各部分は、サブグループに対応する。各サブグループは、画像が視認できる部分の大きさに応じて、表示すべきアイコンを定めるために用いられる。
アイコングループテーブル１３０は、一例として、図３に示すように、複数のグループ情報から構成される。各グループ情報は、グループ識別子、サブグループ数、サブグループ情報を含む。サブグループ情報は、サブグループ識別子、アイコン数及び１個又は複数個のアイコン識別子を含む。
【００２４】
グループ識別子は、対応するグループを識別する識別情報である。サブグループ数は、対応するグループに含まれているサブグループの数を示す。サブグループ識別子は、対応するサブグループを識別する識別情報である。アイコン識別子は、アイコンを識別する識別情報である。
サブグループ数が「１」である場合には、サブグループ識別子は、存在しない。この場合、グループは、１個のサブグループを含み、グループとサブグループとは、一体であるので、サブグループを識別する必要がない。
【００２５】
位置情報記憶領域１２０に記憶されている複数の位置情報により、閉領域が形成されると判断される場合に、当該閉領域である破損時表示領域内に、サブグループに含まれるアイコン識別子により識別されるアイコンが表示される。
（アイコンテーブル１４０）
アイコンテーブル１４０は、各アイコンに対応するアイコン名、プログラム名、優先順位を特定するためのデータテーブルである。
【００２６】
アイコンテーブル１４０は、一例として、図４に示すように、予め、複数のアイコン情報を含んでいる。各アイコン情報は、アイコン識別子、アイコン名、プログラム名及び優先順位を含む。
アイコン識別子は、当該アイコンを識別する識別情報である。
アイコン名は、当該アイコンを表した画像を識別する識別情報である。
【００２７】
プログラム名は、当該アイコンが指定された場合に、携帯端末装置１００において動作するアプリケーションプログラムを識別する識別情報である。
優先順位は、当該アイコンに割り当てられた優先順位である。優先順位の値が小さいほど、優先順位は、高い。優先順位の値が大きいほど、優先順位は、低い。選択されるアイコンの数が限定されている場合に、高い優先順位に設定されたアイコンが選択される。
【００２８】
一例として、図４に示すアイコンテーブル１４０の場合、選択されるアイコンの数が、１個である場合には、優先順位「１」が設定されているアイコン識別子「ＩＤ１」により識別されるアイコンが選択される。また、選択されるアイコンの数が、４個である場合には、優先順位「１」が設定されているアイコン識別子「ＩＤ１」により識別されるアイコン及び優先順位「２」が設定されているアイコン識別子「ＩＤ２」、「ＩＤ３」、「ＩＤ４」により識別されるアイコンが選択される。
【００２９】
（アイコン表示位置テーブル１５０）
アイコン表示位置テーブル１５０は、タッチパネル１１１において、アイコンが表示される位置を示す。
アイコン表示位置テーブル１５０は、一例として、図５に示すように、１個又は複数個のアイコン表示位置情報を記憶する領域を備えている。
【００３０】
各アイコン表示位置情報は、アイコン識別子及びアイコン表示位置を含む。アイコン表示位置は、ｘ座標値及びｙ座標値を含む。アイコン識別子は、アイコンを識別するための識別情報である。アイコン表示位置のｘ座標値及びｙ座標値は、タッチパネル１１１において、アイコンが表示される位置のｘ座標値及びｙ座標値を示す。
アイコン表示位置テーブル１５０は、タッチパネル１１１において、表示すべきアイコンとその位置が確定した後で、入出力制御部１０９により生成される。
【００３１】
（２）タッチパネル１１１
タッチパネル１１１は、一例として、液晶ディスプレイなどの表示パネル部１１１ｂと、表示パネル部１１１ｂの表示面に取り付けられたタッチパッド部１１１ａとから構成されている。タッチパネル１１１は、その表面において、利用者による接触操作を繰り返し検出し、検出するたびに、その接触位置を出力する。
【００３２】
タッチパネル１１１の最大表示領域の大きさは、一例として、３２０ドット×２４０ドットである。なお、タッチパネル１１１の最大表示領域の大きさは、これには限定されない。３２０ドット×２４０ドット以上であるとしてもよいし、３２０ドット×２４０ドット未満であるとしてもよい。
また、タッチパネル１１１において、図１に示すように、タッチパネル１１１の左下点を原点とし、原点から左方向にＸ軸を定義し、原点から上方向にＹ軸を定義する。
【００３３】
利用者が、タッチパッド部１１１ａに指先等を接触させると、タッチパッド部１１１ａは、所定の時間間隔毎に、例えば、５０ｍ秒毎に、その接触位置を検出する。接触位置を検出すると、当該接触位置を示す位置情報（ｘ座標値及びｙ座標値）を生成し、生成した位置情報を、入力信号として、入出力制御部１０９に対して出力する。
利用者がタッチパッド部１１１ａに指先等を接触させながら、接触させた指先等をタッチパッド部１１１ａ上を滑らすように移動させる。そうすると、タッチパッド部１１１ａは、連続的に指先等の接触位置を検出する。次に、接触位置を示す位置情報（ｘ座標値及びｙ座標値）を連続的に複数個、生成し、入力信号として、生成した複数個の位置情報を入出力制御部１０９に対して出力する。
【００３４】
このように、タッチパッド部１１１ａは、利用者による接触操作を受け付け、接触位置の移動に伴って、連続的にその接触位置を出力する。
表示パネル部１１１ｂは、主制御部１０８から入出力制御部１０９を介して、又は、入出力制御部１０９から、画像及び当該画像の表示位置を示す位置データを受け取る。次に、受け取った位置データにより示される位置において、受け取った画像を表示する。
【００３５】
前記画像の一例は、アイコンであり、表示パネル部１１１ｂは、位置データにより示される位置において、受け取ったアイコンを表示する。前記画像の別の一例は、風景を表した画像であり、表示パネル部１１１ｂは、位置データにより示される位置において、受け取った風景を表した画像を表示する。前記画像は、電子メールの受信を表す画像、設定時刻の到来を表す画像、携帯端末装置１００において現在選択されている機能を表す画像等であるとしてもよい。
【００３６】
携帯端末装置１００を、例えば、机の上から床面に落とした場合に、タッチパネル１１１の一部分が破損することがある。このような場合、表示パネル部１１１ｂの一部分のみにおいて、外部から画像を視認することができ、その他の部分において、画像が視認できないこともある。この場合に、タッチパッド部１１１ａに故障が発生していないこともある。
【００３７】
（例１）タッチパネル１１１の一部分が破損する場合の具体例を、図６（ａ）に示す。この例では、タッチパネル１１１の表面が、破損により、部分３１２、３１３、・・・、３１７に分かれている。
図６（ａ）に示すように、部分３１２においては、画像が視認できる。一方、部分３１３〜３１７においては、画像は視認できない。
【００３８】
このような破損が発生した場合に、利用者は、後述する特定ボタンの操作をする。また、これと同時に、部分３１２の内周に沿って、できる限り広い多角形（多角形に限らず、楕円、円又は任意の曲線又は直線でも良い）を描くように、タッチパネル１１１に指先を接触させながら、指先を移動させる。このとき、利用者は、一つの開始点から指先の接触を開始し、部分３１２の内周に沿って、タッチパネル１１１に指先を接触させながら、指先を移動させ、再び、開始点に戻るようにする。こうして、利用者の指先は、軌跡３１８を描く。利用者が軌跡３１８を描くことにより、タッチパネル１１１は、図６（ａ）に示すように、位置情報Ｐ０、Ｐ１、Ｐ２、・・・、Ｐ８を出力する。ここで、位置情報Ｐ０、Ｐ１、Ｐ２、・・・、Ｐ８は、軌跡３１８を構成している。
【００３９】
次に、軌跡３１８が構成されると、タッチパネル１１１は、図６（ｂ）に示すように、入出力制御部１０９の制御により、軌跡３１８により示される閉領域内に、アイコン３２２を表示する。この閉領域を、破損時表示領域と呼ぶ。アイコン３２２は、アプリケーション機能の一つであるボイスダイアラー機能を起動させるために用いられる処理画像である。ここで、ボイスダイアラー機能は、音声により電話の発呼を行い、通話することができる機能である。
【００４０】
（例２）タッチパネル１１１の一部分が破損する場合の別の具体例を、図７（ａ）に示す。この例では、タッチパネル１１１の表面が、破損により、部分３３２、３３３、・・・、３３７に分かれている。
図７（ａ）に示す場合には、部分３３２においてのみ、画像が視認できる。一方、部分３３３〜３３７においては、画像は視認できない。この場合に、利用者は、上記と同様の操作をして、軌跡３３８を描く。この軌跡３３８により、タッチパネル１１１は、図７（ａ）に示すように、位置情報Ｐ０、Ｐ１、Ｐ２、・・・、Ｐ１３を出力する。ここで、位置情報Ｐ０、Ｐ１、Ｐ２、・・・、Ｐ１３は、軌跡３３８を構成している。
【００４１】
図６（ａ）に示す具体例と、図７（ａ）に示す具体例の主たる違いは、画像が視認できる部分の大きさである。部分３３２は、部分３１２より大きい。このため、軌跡３３８は、軌跡３１８より大きい。
次に、軌跡３３８が構成されると、タッチパネル１１１は、図７（ｂ）に示すように、入出力制御部１０９の制御により、軌跡３３８により示される閉領域（つまり、破損時表示領域）内に、アイコン３４２、３４３、３４４、３４５を表示する。アイコン３４２は、ボイスダイアラー機能を起動させるために用いられる処理画像である。また、アイコン３４３、３４４、３４５は、それぞれ、電子メール機能、電話発呼機能及びデジタル放送受信表示機能など、その他のアプリケーション機能を起動させるために用いられる処理画像である。
【００４２】
（例３）タッチパネル１１１の一部分が破損する場合の別の具体例を、図８（ａ）に示す。この例では、タッチパネル１１１の表面が、破損により、部分３５２、３５３、・・・、３５７に分かれている。
図８（ａ）に示す場合には、部分３５２においてのみ、画像が視認できる。一方、部分３５３〜３５７においては、画像は視認できない。この場合に、利用者は、上記と同様の操作をして、軌跡３５８を描く。この軌跡３５８により、タッチパネル１１１は、図８（ａ）に示すように、位置情報Ｐ０、Ｐ１、Ｐ２、・・・、Ｐ１８を出力する。ここで、位置情報Ｐ０、Ｐ１、Ｐ２、・・・、Ｐ１８は、軌跡３５８を構成している。
【００４３】
図７（ａ）に示す具体例と、図８（ａ）に示す具体例の主たる違いは、画像が視認できる部分の大きさである。部分３５２は、部分３３２より大きい。このため、軌跡３５８は、軌跡３３８より大きい。
次に、軌跡３５８が構成されると、タッチパネル１１１は、図８（ｂ）に示すように、入出力制御部１０９の制御により、軌跡３５８により示される閉領域（つまり、破損時表示領域）内に、アイコン３６２、３６３、３６４、３６５、・・・を表示する。アイコン３６２は、アプリケーション機能の一つであるボイスダイアラー機能を起動させるために用いられる処理画像である。また、アイコン３６３、３６４、３６５は、それぞれ、デジタル放送受信表示機能、設定機能、カレンダー機能等、その他のアプリケーション機能を起動させるために用いられる処理画像である。
【００４４】
（例４）タッチパネル１１１の一部分が破損する場合の別の具体例を、図９（ａ）に示す。この例では、タッチパネル１１１の表面が、破損により、部分３７２、３７３、・・・、３７６に分かれている。
図９（ａ）に示す場合には、部分３７２及び部分３７７においてのみ、画像が視認できる。一方、部分３７３〜３７６においては、画像は視認できない。この場合に、利用者は、上記と同様の操作をして、軌跡３７８及び軌跡３７９を描く。この軌跡３７８及び軌跡３７９により、タッチパネル１１１は、図９（ａ）に示すように、位置情報Ｐ０、Ｐ１、Ｐ２、・・・、Ｐ１６及び位置情報Ｐ１７、Ｐ１８、Ｐ１９、・・・、Ｐ３６を出力する。ここで、位置情報Ｐ０、Ｐ１、Ｐ２、・・・、Ｐ１６は、軌跡３７８を構成し、位置情報Ｐ１７、Ｐ１８、Ｐ１９、・・・、Ｐ３６は、軌跡３７９を構成する。
【００４５】
図７（ａ）に示す具体例と、図９（ａ）に示す具体例の主たる違いは、画像が視認できる部分の数である。図７（ａ）に示す具体例においては、画像が視認できる部分は、一個だけ存在する。これに対して、図９（ａ）に示す具体例においては、画像が視認できる部分は、二個存在する。部分３７２及び部分３７７は、それぞれ、部分３３２とほぼ同じ大きさである。
【００４６】
次に、軌跡３７８及び軌跡３７９が構成されると、タッチパネル１１１は、図９（ｂ）に示すように、入出力制御部１０９の制御により、軌跡３７８により示される閉領域（つまり、破損時表示領域）内に、アイコン３８２、３８３、３８４、３８５を表示する。また、軌跡３７９により示される閉領域内に、アイコン３８６、３８７、３８８、３８９を表示する。アイコン３８２は、アプリケーション機能の一つであるボイスダイアラー機能を起動させるために用いられる処理画像である。また、その他のアイコンは、それぞれ、その他のアプリケーション機能を起動させるために用いられる処理画像である
（例５）タッチパネル１１１の一部分が破損する場合の別の具体例を、図１０に示す。この例では、タッチパネル１１１の表面が、破損により、部分３９２、３９３、・・・、３９６に分かれている。
【００４７】
図１０に示す場合には、部分３９２においてのみ、画像が視認できる。一方、部分３９３〜３９６においては、画像は視認できない。この場合に、利用者は、上記と同様の操作をして、軌跡３９７を描く。
図１０に示す具体例と、図６（ａ）に示す具体例との主たる違いは、軌跡の開始点及び終了点である。図６（ａ）に示す具体例においては、軌跡３１８は、一つの開始点から始まり、再び、元の開始点に戻る。一方、図１０に示す具体例においては、軌跡３９７は、一つの開始点から始まり、開始点とは異なる終了点において終了する。開始点は、タッチパネル１１１の一辺３９８上にあり、終了点は、一辺３９９上にある。従って、軌跡３９７、辺３９８及び辺３９９により、閉領域（つまり、破損時表示領域）を構成する。
【００４８】
この軌跡３９７により、タッチパネル１１１は、図１０に示すように、位置情報Ｐ０、Ｐ１、Ｐ２、・・・、Ｐ６を出力する。ここで、位置情報Ｐ０、Ｐ１、Ｐ２、・・・、Ｐ６は、軌跡３９７を構成する。
（例６）タッチパネル１１１の一部分が破損する場合の別の具体例を、図１１に示す。この例では、タッチパネル１１１の表面が、破損により、部分４０２、４０３、・・・、４０６に分かれている。
【００４９】
図１１に示す場合には、部分４０２においてのみ、画像が視認できる。一方、部分４０３〜４０６においては、画像は視認できない。この場合に、利用者は、上記と同様の操作をして、軌跡４０７を描く。
図１１に示す具体例と、図６（ａ）に示す具体例との主たる違いは、軌跡の開始点及び終了点である。図６（ａ）に示す具体例においては、軌跡３１８は、一つの開始点から始まり、再び、元の開始点に戻る。一方、図１１に示す具体例においては、軌跡４０７は、一つの開始点から始まり、開始点とは異なる終了点において終了する。開始点は、タッチパネル１１１の一辺４０８上にあり、終了点も、辺４０８上にある。従って、軌跡４０７及び辺４０８により、閉領域（つまり、破損時表示領域）を構成する。
【００５０】
この軌跡４０７により、タッチパネル１１１は、図１１に示すように、位置情報Ｐ０、Ｐ１、Ｐ２、・・・、Ｐ７を出力する。ここで、位置情報Ｐ０、Ｐ１、Ｐ２、・・・、Ｐ７は、軌跡４０７を構成する。
（例７）タッチパネル１１１の一部分が破損する場合の別の具体例を、図１２に示す。この例では、タッチパネル１１１の表面が、破損により、部分４１２、４１３、・・・、４１６に分かれている。
【００５１】
図１２に示す場合には、部分４１２においてのみ、画像が視認できる。一方、部分４１３〜４１６においては、画像は視認できない。この場合に、利用者は、上記と同様の操作をして、軌跡４１７を描く。
図１２に示す具体例と、図６（ａ）に示す具体例との主たる違いは、軌跡による閉領域の形成の仕方にある。図６（ａ）に示す具体例においては、軌跡３１８をその辺とする多角形が形成され、この多角形が閉領域となる。一方、図１２に示す具体例においては、軌跡４１７は、ジグザグに折れ曲がって描かれる。ここで、タッチパネル１１１は、図１２に示すように、位置情報Ｐ０、Ｐ１、Ｐ２、・・・、Ｐ３１を出力し、位置情報Ｐ０、Ｐ１、Ｐ２、・・・、Ｐ３１は、軌跡４０７を構成するものとする。このとき、全ての位置情報を中心とする小円を仮想的に描き、位置情報と同数の小円を含む閉領域（つまり、破損時表示領域）を設定する。小円の直径は、一例として、アイコンの一辺の長さと同じものとする。例えば、３２ドットである。なお、小円の直径は、３２ドットには、限定されない。小円の直径は、１６ドット、８ドットなどとしてもよい。
【００５２】
（例８）タッチパネル１１１の一部分が破損する場合の別の具体例を、図１３に示す。この例では、タッチパネル１１１の表面が、破損により、部分４２２、４２３、・・・、４２６に分かれている。
図１３に示す場合には、部分４２２及び部分４２６においてのみ、画像が視認できる。一方、部分４２３〜４２５においては、画像は視認できない。この場合に、利用者は、図９（ａ）に示す具体例と同様の操作をして、軌跡４２７及び軌跡４２８を描く。この軌跡４２７及び軌跡４２８により、タッチパネル１１１は、図１３に示すように、位置情報Ｐ０、Ｐ１、Ｐ２、・・・、Ｐ２６及び位置情報Ｐ２７、Ｐ１８、Ｐ１９、・・・、Ｐ３４を出力する。ここで、位置情報Ｐ０、Ｐ１、Ｐ２、・・・、Ｐ２６は、軌跡４２８を構成し、位置情報Ｐ２７、Ｐ２８、Ｐ２９、・・・、Ｐ３４は、軌跡４２７を構成する。
【００５３】
図１３に示す具体例と、図９（ａ）に示す具体例の主たる違いは、画像が視認できる部分の大きさである。図９（ａ）に示す具体例においては、画像が視認できる部分３７２及び３７７の大きさは、ほぼ同一である。これに対して、図１３に示す具体例においては、画像が視認できる部分４２２は、部分４２６と比べると、かなり小さい。
なお、軌跡４２７及び軌跡４２８によりそれぞれ形成される閉領域は、破損時表示領域となる。
【００５４】
（例９）タッチパネル１１１の一部分が破損する場合の別の具体例を、図１４（ａ）に示す。この例では、タッチパネル１１１の表面が、破損により、部分４３２、４３３、・・・、４３６に分かれている。
図１４（ａ）に示す場合には、部分４３２において、画像が視認できる。一方、部分４３３〜４３６においては、画像は視認できない。
【００５５】
このような破損が発生した場合に、利用者は、後述するように、特定ボタンに対する特定の操作をする。また、これと同時に、部分３１２内の全体に接触するように、タッチパネル１１１に手のひら全体を接触させながら、手を移動させる。こうして、利用者の手により、図１４（ｂ）に示すように、軌跡面４４２が描かれる。利用者が軌跡面４４２を描くことにより、タッチパネル１１１は、図１４（ｂ）に示すように、軌跡面４４２を示す複数の位置情報を出力する。
【００５６】
ここで、軌跡面４４２は、破損時表示領域となる。
（３）操作部１１３
操作部１１３は、ボタン１１３ａ、１１３ｂ、１１３ｃ、１１３ｄ、１１３ｅ及び１１３ｆを備える。
図１に示すように、ボタン１１３ａ、１１３ｂ及び１１３ｃは、携帯端末装置１００の正面に配置され、ボタン１１３ｄ、１１３ｅ及び１１３ｆは、携帯端末装置１００の側面に配置されている。ボタン１１３ａ、１１３ｂ、１１３ｃ、１１３ｄ、１１３ｅ及び１１３ｆは、それぞれ、利用者に押下されることにより、操作される。
【００５７】
ボタン１１３ａは、オプションのメニューを表示するために用いられるボタンであり、ボタン１１３ｂは、デスクトップを表示するために用いられるボタンである。ボタン１１３ｃは、一つ前の画面に戻るために用いられるボタンである。また、ボタン１１３ｄは、携帯端末装置１００をＯＮ又はＯＦＦとするために用いられる電源ボタンである。
ボタン１１３ｅは、スピーカ１０４により出力される音声の出力値を大きくするために用いられるボタンである。また、ボタン１１３ｆは、スピーカ１０４により出力される音声の出力値を小さくするために用いられるボタンである。
【００５８】
また、ボタン１１３ｅ及びボタン１１３ｆは、その両方がほぼ同時に、押された場合には、上述した特定ボタンとして機能する。
なお、特定ボタンは、ボタン１１３ｅ及びボタン１１３ｆの両方がほぼ同時に押す場合には、限定されない。ボタン１１３ａ、ボタン１１３ｂ及びボタン１１３ｃのいずれか一つが特定ボタンであるとしてもよい。
【００５９】
これらのボタンが利用者により操作されると、操作部１１３は、各ボタンに対する操作がされたことを示す操作信号を、入力信号として、入出力制御部１０９に対して出力する。
（４）入出力制御部１０９
入出力制御部１０９は、入力信号として、操作部１１３から操作信号を受け取る。また、入力信号として、タッチパネル１１１から位置情報を受け取る。また、主制御部１０８から、文字や画像及びその表示位置を受け取り、受け取った文字や画像及びその表示位置をタッチパネル１１１に出力して表示するように制御する。また、バイブレータ１１２に対して、振動を開始又は停止するように指示する。
【００６０】
（特定ボタンに対応する操作信号の受け取り）
入出力制御部１０９は、入力信号として、ボタン１１３ｅの押下を示す操作信号（以下、第１操作信号と呼ぶ。）と、ボタン１１３ｆの押下を示す操作信号（以下、第２操作信号と呼ぶ。）とを、ほぼ同時に受け取る。なお、先に、第１操作信号を受け取り、その後、第２操作信号を受け取るとしてもよい。
【００６１】
入出力制御部１０９は、第１操作信号及び第２操作信号の両方を受け取った時から、特定ボタンの操作が開始されたと認識する。図１５に、特定ボタンのＯＦＦ状態及びＯＮ状態の時間的経過を示す。この図において、時刻ｔ０は、第１操作信号及び第２操作信号の両方を受け取った時を示している。
また、入出力制御部１０９は、第１操作信号及び第２操作信号の両方を受け取っている時間帯中、特定ボタンの操作がされ続けていると認識する。図１５において、時刻ｔ０から時刻ｔ２までの時間帯において、入出力制御部１０９は、第１操作信号及び第２操作信号の両方を受け取っている。従って、この時間帯において、特定ボタンに対する操作がされ続けていると認識する。
【００６２】
次に、入出力制御部１０９は、初めて、第１操作信号及び第２操作信号の両方を受け取った時（時刻ｔ０）から、時間を計測する。次に、計測された時間が、閾値である１秒を超えたか否かを判断する。計測された時間が１秒を超えた時（時刻ｔ１）から、特定ボタンに対する特定の操作（特定のボタン操作と呼ぶこともある。）がされたと認識する。この操作を特定ボタンに対する長押しと呼ぶこともある。図１５において、時刻ｔ０から時刻ｔ１までは、一例として、１秒である。時刻ｔ１は、計測された時間が１秒を超えた時である。時刻ｔ１から、入出力制御部１０９は、第１操作信号及び第２操作信号の両方を受け取り、特定ボタンに対する特定の操作がされ続けていると認識する。
【００６３】
さらに、入出力制御部１０９は、第１操作信号、第２操作信号又は第１操作信号及び第２操作信号を受け取らなくなった時（時刻ｔ２）から、特定ボタンに対する特定の操作が終了した判断する。図１５において、時刻ｔ２は、第１操作信号、第２操作信号又は第１操作信号及び第２操作信号を受け取らなくなった時である。時刻ｔ２において、入出力制御部１０９は、特定ボタンに対する特定の操作が終了したと認識する。
【００６４】
ここで、時刻ｔ１から時刻ｔ２までの時間帯を、特定ボタン操作中と呼ぶこともある。
（モードの設定）
入出力制御部１０９は、通常モード及び破損時モードの何れかを設定する。
通常モードは、タッチパネル１１１が破損していない場合を示すモードである。一方、破損時モードは、タッチパネル１１１が破損している場合を示すモードである。破損時モード時には、電源ランプ１１４等を点滅もしくは、通常の電源投入時とは異なる色で点灯させ、通常モードと異なる動作であることを使用者に提示してもよい。
【００６５】
（特定ボタン操作中でない場合における位置情報の受け取り）
特定ボタン操作中でない場合において、タッチパネル１１１から位置情報を受け取ると、入出力制御部１０９は、受け取った位置情報に対応するアイコン表示位置をアイコン表示位置テーブル１５０から検索する。このとき、アイコン表示位置を中心として、半径が１６ドットの仮想的な円を描く。受け取った位置情報がこの仮想的な円の内部に存在する場合に、受け取った位置情報に、当該アイコン表示位置が対応するものとする。受け取った位置情報がこの仮想的な円の内部に存在しない場合に、受け取った位置情報に対応するアイコン表示位置がアイコン表示位置テーブル１５０内に存在しないものとする。
【００６６】
次に、対応するアイコン表示位置がアイコン表示位置テーブル１５０内に存在する場合、当該アイコン表示位置を含むアイコン表示位置情報から、アイコン識別子を読み出す。
次に、アイコンテーブル１４０から、読み出したアイコン識別子を含むアイコン情報を読み出し、アイコン情報に含まれるプログラム名を読み出す。次に、読み出したプログラム名を主制御部１０８に出力して、当該プログラムを実行するように制御する。
【００６７】
携帯端末装置１００の電源がＯＮに投入された後、又は、アプリケーションプログラムの終了後、その他、タッチパネル１１１にアイコングループを表示する旨の操作がされた後、入出力制御部１０９は、通常モードに設定されているか、又は破損時モードに設定されているかを判断する。
通常モードが設定されている場合には、入出力制御部１０９は、通常アイコングループをタッチパネル１１１に出力し、通常アイコングループを表示するように、制御する。
【００６８】
破損時モードが設定されている場合には、入出力制御部１０９は、破損時アイコングループをタッチパネル１１１に出力し、破損時アイコングループを表示するように、制御する。
（特定ボタン操作中である場合における位置情報の受け取り）
特定ボタン操作中である場合において、タッチパネル１１１から位置情報を受け取ると、入出力制御部１０９は、受け取った位置情報を位置情報記憶領域１２０に書き込む。特定ボタン操作中でない場合には、受け取った位置情報を位置情報記憶領域１２０に書き込むことはない。
【００６９】
図１５に示すように、一例として、時刻ｔ１から時刻ｔ２までの時間帯において、タッチパネル１１１から、位置情報Ｐ６、Ｐ７、・・・、Ｐ１３を受け取ると、入出力制御部１０９は、位置情報Ｐ６、Ｐ７、・・・、Ｐ１３を位置情報記憶領域１２０に書き込む。時刻ｔ１の前の時間帯において、タッチパネル１１１は、位置情報Ｐ１、Ｐ２、Ｐ３を出力している。また、時刻ｔ２の後の時間帯において、タッチパネル１１１は、位置情報Ｐ１４、Ｐ１５を出力している。しかし、位置情報Ｐ１、Ｐ２、Ｐ３及び位置情報Ｐ１４、Ｐ１５は、位置情報記憶領域１２０に書き込まれない。
【００７０】
（位置情報記憶領域１２０に記憶されている位置情報に対する処理）
入出力制御部１０９は、特定ボタンに対する特定の操作の終了を検出する。言い換えると、第１操作信号、第２操作信号並びに第１操作信号及び第２操作信号の何れかを受け取らなくなった時を検出する。特定ボタンに対する特定の操作の終了を検出するのは、一例として、図１５の時刻ｔ２においてである。
【００７１】
特定ボタンに対する特定の操作の終了を検出すると、入出力制御部１０９は、位置情報記憶領域１２０から全ての位置情報を、記憶されている順序に従って、連続して読み出す。位置情報記憶領域１２０に位置情報が記憶されていない場合に、以下の処理を行わない。
入出力制御部１０９は、連続して読み出した位置情報に、不連続が存在するか否かを判断する。不連続が存在すると判断する場合、その不連続の位置により読み出した複数の位置情報を、分類して、複数の閉領域グループを生成する。ここで、不連続とは、連続して読み出した２個の位置情報が、一例として、５ドット以上、離れている場合を言う。なお、５ドット以上離れている場合には、限定されない。１０ドット以上離れている場合、又は１５ドット以上離れている場合に、不連続としてもよい。不連続が存在すると判断する場合、不連続を検出する前の１個以上の位置情報と、不連続を検出した後の１個以上の位置情報とが、別々の閉領域グループに属するように、分類する。
【００７２】
各閉領域グループに属する位置情報は、一つの閉領域を形成する。この閉領域が破損時表示領域である。
読み出した全ての位置情報において、不連続が検出されない場合には、読み出した全ての位置情報が一つの閉領域グループに属するようにする。
図６（ａ）、図７（ａ）、図８（ａ）、図１０、図１１に示す具体例の場合には、読み出した全ての位置情報において、不連続が検出されない。このため、読み出した全ての位置情報が一つの閉領域グループに属することとなる。これに対して、図９（ａ）、図１３に示す具体例の場合には、読み出した全ての位置情報から、一つの不連続が検出される。このとき、読み出した全ての位置情報を分類して、二つの閉領域グループを生成する。
【００７３】
（閉領域グループ毎の処理）
入出力制御部１０９は、閉領域グループ毎に、以下に示す処理を行う。
一つの閉領域グループに属する１個又は複数の位置情報により形成される閉領域が、例えば、予め設定した特定サイズ３２０ドット×２４０ドット以上であるか、又は、３２０ドット×２４０ドット未満であるかを判断する。
【００７４】
３２０ドット×２４０ドットは、タッチパネル１１１の最大表示領域の大きさを示しているので、当該閉領域グループに属する位置情報により形成される閉領域が３２０ドット×２４０ドット以上である場合には、タッチパネル１１１の最大表示領域が指定されていることとなる。この場合には、タッチパネル１１１上には、破損は、存在しないとみなす。このため、入出力制御部１０９は、通常モードを設定する。次に、通常アイコングループを生成し、通常アイコングループをタッチパネル１１１に出力し、通常アイコングループを表示するように、タッチパネル１１１を制御する。
【００７５】
ここで、通常アイコングループは、携帯端末装置１００において、初期値として、設定されているアイコン、及び、利用者により、追加して設定されたアイコンを含む。
一つの閉領域グループに属する位置情報により形成される閉領域が３２０ドット×２４０ドット未満である場合、入出力制御部１０９は、タッチパネル１１１上には、破損があるとみなす。入出力制御部１０９は、タッチパネル１１１上に破損がある場合であることを示す破損時モードを設定する。次に、後述するように、破損時アイコングループを生成し、生成した破損時アイコングループをタッチパネル１１１に出力する。また、破損時アイコングループを表示するように、タッチパネル１１１を制御する。
【００７６】
以上により、入出力制御部１０９による閉領域グループ毎の処理を終了する。
（破損時アイコングループの生成）
入出力制御部１０９は、次に示すようにして、閉領域グループ毎に、破損時表示領域に表示されるアイコンの配置数及び配置位置を決定する。
入出力制御部１０９は、破損時表示領域の左上の近傍に、開始点を設定する。破損時表示領域の左上の近傍は、一例として、破損時表示領域の左上点から、Ｘ軸正方向に１６ドット、Ｙ軸負方向に１６ドットの位置である。破損時表示領域の一例を図１６に示す。入出力制御部１０９は、図１６に示す破損時表示領域５０１において、その左上の近傍に、開始点５０２ａを設定する。
【００７７】
次に、入出力制御部１０９は、一例として、図１６に示すように、開始点５０２ａから、１個のアイコン間隔分だけＸ軸正方向に、第１検査点５０３ａを設定する。また、開始点５０２ａから、１個のアイコン間隔分だけＹ軸負方向に、第２検査点５０４ａを設定する。さらに、開始点５０２ａから、１個のアイコン間隔分だけＸ軸正方向に、さらに、１個のアイコン間隔分だけＹ軸負方向に、第３検査点５０５ａを設定する。
【００７８】
ここで、１個のアイコン間隔分は、一例として、５０ドットである。
次に、入出力制御部１０９は、設定した第１検査点５０３ａ、第２検査点５０４ａ及び第３検査点５０５ａのそれぞれが、破損時表示領域５０１内に存在するか否かを判断する。その判断結果を用いて、図１７に示す判断テーブル１６０に従って、破損時表示領域５０１内に表示するアイコンの配置数及びアイコンの配置位置を決定する。
【００７９】
判断テーブル１６０は、各検査点が破損時表示領域内に存在するか否かを示す判断結果に従って、どのアイコンの配置数及びアイコンの配置位置を選択するかを説明している。
ここで、判断テーブル１６０において、「有」は、対応する検査点が破損時表示領域内に存在することを示す。また、「無」は、対応する検査点が破損時表示領域内に存在しないことを示す。配置数は、判断結果に対応して定まるアイコンの配置数である。さらに、アイコンの配置位置を、２行２列の行列状の表示枠により示している。表示枠は、２行２列のどの位置にアイコンが表示され、表示されないかを示す。各表示枠の各位置において、○印は、アイコンが表示されることを示し、×印は、アイコンが表示されないことを示す。
【００８０】
（ａ）第１検査点、第２検査点及び第３検査点の全てが破損時表示領域内に存在する場合、入出力制御部１０９は、２行２列の行列状の表示枠の全ての位置にアイコンを配置する。言い換えると、表示枠の第１行に２個、第２行に２個、合計で４個のアイコンを行列状に配置する。
（ｂ）第１検査点及び第２検査点の両方が破損時表示領域内に存在し、第３検査点が破損時表示領域に存在しない場合、入出力制御部１０９は、２行２列の行列状の表示枠のうち、第１行に２個、第２行の第１列に１個、合計で３個のアイコンを配置する。
【００８１】
（ｃ）第１検査点が破損時表示領域内に存在し、第２検査点及び第３検査点の両方が破損時表示領域内に存在しない場合、入出力制御部１０９は、表示枠の第１行に２個のアイコンを配置する。
（ｄ）第１検査点が破損時表示領域内に存在せず、第２検査点及び第３検査点の両方が破損時表示領域内に存在する場合、入出力制御部１０９は、表示枠の第１行の第１列に１個、さらに、第２行に２個、合計で３個のアイコンを配置する。
【００８２】
（ｅ）第１検査点及び第２検査点が破損時表示領域内に存在せず、第３検査点が破損時表示領域内に存在する場合、入出力制御部１０９は、表示枠の第１行の第１列に１個、第２行の第２列に１個、合計で２個のアイコンを配置する。
（ｆ）第１検査点、第２検査点及び第３検査点のいずれもが破損時表示領域内に存在しない場合、入出力制御部１０９は、表示枠の第１行の第１列に１個のアイコンを配置する。
【００８３】
このようにして、２行２列の行列状の表示枠の各位置について、アイコンが配置されるか否かが決定される。
次に、入出力制御部１０９は、破損時表示領域の位置、及び、決定されたアイコンの配置位置を用いて、各アイコンが表示される位置を示すアイコン表示位置を生成する。次に、破損時表示領域に表示されるべき各アイコンについて、当該アイコンを識別するアイコン識別子及び生成したアイコン表示位置を、アイコン表示位置情報として、アイコン表示位置テーブル１５０に書き込む。
【００８４】
次に、同様にして、３行３列の行列状の表示枠の各位置について、アイコンが配置されるか否かを決定する。この場合に、２行２列の行列状の表示枠について得られた結論を用い、図１６に示す第１検査点５０３ａ、第２検査点５０４ａ及び第３検査点５０５ａのそれぞれを開始点として、２行２列の行列状の場合と同様に、検査点を設定する。次に、設定した検査点について、破損時表示領域内に存在するか否かを判断する。
【００８５】
具体的には、図１８に示すように、第１検査点５０３ａを開始点として、検査点５１３ａを設け、検査点５１３ａが破損時表示領域内に存在するか否かを判断する。同様に、第２検査点５０４ａを開始点として、検査点５１４ａを設け、検査点５１４ａが破損時表示領域内に存在するか否かを判断する。同様に、第３検査点５０５ａを開始点として、検査点５１５ａを設け、検査点５１５ａが破損時表示領域内に存在するか否かを判断する。
【００８６】
さらに、同様にして、４行５列の行列状の表示枠の各位置について、アイコンが配置されるか否かを決定する。この場合に、３行３列の行列状の表示枠について得られた結論を用い、図１８に示す検査点５１３ａ、検査点５１４ａ及び検査点５１５ａのそれぞれを開始点として、３行３列の行列状の場合と同様に、検査点を設定する。次に、設定した検査点について、破損時表示領域内に存在するか否かを判断する。
【００８７】
具体的には、図１９に示すように、検査点５１３ａを開始点として、検査点５２３ａを設け、検査点５２３ａが破損時表示領域内に存在するか否かを判断する。同様に、検査点５１５ａを開始点として、検査点５２６ａを設け、検査点５２６ａが破損時表示領域内に存在するか否かを判断する。同様に、検査点５１４ａを開始点として、検査点５２７ａを設け、検査点５２７ａが破損時表示領域内に存在するか否かを判断する。以下、検査点５２５ａに至るまで、同様に、検査点の設定と検査点の判断とを繰り返す。
【００８８】
以上のようにして、入出力制御部１０９は、破損時表示領域内に表示されるアイコンの配置数と配置位置とを決定する。
（配置するアイコンの決定）
入出力制御部１０９は、アイコングループテーブル１３０から、閉領域グループの数に等しいサブグループ数を含み、かつ、決定したアイコンの配置数に等しいアイコン数を含むグループ情報を抽出する。
【００８９】
なお、閉領域グループの数に等しいサブグループ数を含むグループ情報の中で、決定したアイコンの配置数に等しいアイコン数を含むグループ情報が存在しない場合には、決定したアイコンの配置数に最も近いアイコン数を含むグループ情報を抽出してもよい。
また、閉領域グループの数に等しいサブグループ数を含むグループ情報の中で、決定したアイコンの配置数に等しいアイコン数を含むグループ情報が存在しない場合には、決定したアイコンの配置数より少ないアイコン数を含むグループ情報を抽出してもよい。
【００９０】
次に、入出力制御部１０９は、こうして抽出したグループ情報からアイコン識別子を抽出する。次に、抽出したアイコン識別子を、決定した配置位置に割り当てる。
次に、入出力制御部１０９は、こうして抽出したグループ情報からアイコン識別子を抽出する。次に、アイコン識別子により識別されるアイコンを読み出す。さらに、読み出したアイコン及び当該アイコン識別子が割り当てられた配置位置を、タッチパネル１１１に対して、出力する。次に、当該アイコンを該当する配置位置に表示するように、タッチパネル１１１を制御する。
【００９１】
（閉領域が形成された後の処理）
入出力制御部１０９は、閉領域が形成された後、タッチパネル１１１から出力される位置情報のうち、当該閉領域内に存在するもののみを受け取る。当該閉領域外に存在する位置情報を破棄する。
（５）主制御部１０８
主制御部１０８は、通信制御部１０６、音声制御部１０７及び入出力制御部１０９を制御する。また、主制御部１０８は、その他の制御を行う。
【００９２】
主制御部１０８は、入出力制御部１０９からプログラム名を受け取り、受け取ったプログラム名により示されるプログラムを記憶部１１０から読み出し、読み出したプログラムを実行する。当該プログラムの実行が終了すると、入出力制御部１０９に対して、アイコンのメニューを表示するように制御する。
（６）バイブレータ１１２
バイブレータ１１２は、モーターの軸に重心を偏らせた重りを取り付けて構成されており、タッチパネル１１１の裏面において、タッチパネル１１１に接触する態様で、設けられている。バイブレータ１１２は、入出力制御部１０９を介して、主制御部１０８による制御により、振動し、また、その振動を停止する。
【００９３】
（７）アンテナ１０１、通信回路１０２及び通信制御部１０６
アンテナ１０１は、図示していない基地局との間で無線回線を介して無線信号を送受信する。通信回路１０２は、アンテナ１０１により送受信される無線信号の周波数選択や周波数変換等を行う。通信制御部１０６は、通信回路１０２と主制御部１０８との間で情報の送受信を中継する。
【００９４】
（８）音声処理部１０３、スピーカ１０４、マイクロホン１０５、音声制御部１０７及び電源ランプ１１４
音声処理部１０３は、通信回路１０２により受信された音声信号を復調してスピーカ１０４に対して音響信号として出力する。また、マイクロホン１０５より入力された音響信号に対応して電気信号に変換された音声信号を変調し、通信回路１０２により送信させる。スピーカ１０４は、音声等の音響を出力する。マイクロホン１０５は、音声等の音響を入力する。音声制御部１０７は、音声処理部１０３における音声処理を制御する。電源ランプ１１４は、入出力制御部１０９の制御により、発光、又は、点滅する。
【００９５】
１．２  携帯端末装置１００の動作
携帯端末装置１００について、図２０〜図２１に示すフローチャートを用いて説明する。
入出力制御部１０９は、入力信号として、操作部１１３から操作信号を受け取り、受け取った入力信号を用いて、特定ボタンに対する特定操作中であるか否かを判断する（ステップＳ１０１）。
【００９６】
また、タッチパネル１１１４は、位置情報を出力し（ステップＳ１０３）、入出力制御部１０９が特定ボタンに対する特定操作中に、位置情報を受け取った場合、受け取った位置情報を位置情報記憶領域１２０に書き込む（ステップＳ１０２）。次に、ステップＳ１０１に戻って、処理を繰り返す。
次に、入出力制御部１０９は、入力信号として、操作部１１３から操作信号を受け取る。次に、受け取った入力信号を用いて、特定ボタンに対する特定の操作の終了を示すか否かを判断する（ステップＳ１０４）。特定ボタンに対する特定の操作の終了を示さない場合（ステップＳ１０４で「ＮＯ」）、ステップＳ１１６へ制御を移す。
【００９７】
特定ボタンに対する特定の操作の終了を示す場合（ステップＳ１０４で「ＹＥＳ」）、位置情報記憶領域１２０から全ての位置情報を読み出す（ステップＳ１０５）。次に、読み出した位置情報を分類して閉領域グループを生成する（ステップＳ１０６）。
次に、各閉領域グループについて、ステップＳ１０８〜Ｓ１１４の処理を繰り返す（ステップＳ１０７〜Ｓ１１５）。
【００９８】
入出力制御部１０９は、当該閉領域グループに属する位置情報により形成される破損時表示領域の大きさが、３２０ドット×２４０ドット以上であるか、又は、３２０ドット×２４０ドット未満であるかを判断する（ステップＳ１０８）。
当該破損時表示領域域の大きさが３２０ドット×２４０ドット以上である場合には（ステップＳ１０８）、入出力制御部１０９は、通常モードを設定する（ステップＳ１０９）。また、通常アイコングループを生成する（ステップＳ１１０）。次に、通常アイコングループをタッチパネル１１１に出力し、通常アイコングループを表示するように、タッチパネル１１１を制御する（ステップＳ１１１）。
【００９９】
一方、当該破損時表示領域域の大きさが３２０ドット×２４０ドット未満である場合（ステップＳ１０８）、入出力制御部１０９は、タッチパネル１１１上に破損がある場合であることを示す破損時モードを設定する（ステップＳ１１２）。次に、破損時アイコングループを生成する（ステップＳ１１３）。次に、生成した破損時アイコングループをタッチパネル１１１に出力し、破損時アイコングループを表示するように、タッチパネル１１１を制御する（ステップＳ１１４）。
【０１００】
特定ボタンに対する特定操作中でない場合において（ステップＳ１０４で「ＮＯ」）、タッチパネル１１１から位置情報を受け取ると、入出力制御部１０９は、受け取った位置情報に対応するアイコン表示位置をアイコン表示位置テーブル１５０から検索する（ステップＳ１１６）。
次に、対応するアイコン表示位置がアイコン表示位置テーブル１５０内に存在する場合（ステップＳ１１７で「有り」）、当該アイコン表示位置を含むアイコン表示位置情報から、アイコン識別子を読み出す。また、アイコンテーブル１４０から、読み出したアイコン識別子を含むアイコン情報を読み出す。次に、アイコン情報に含まれるプログラム名を読み出し、読み出したプログラム名を主制御部１０８に出力して、当該プログラムを実行するように制御する（ステップＳ１１８）。次に、アプリケーションプログラムが実行される（ステップＳ１１９）。
【０１０１】
アプリケーションプログラムの実行により、電源ＯＦＦが指定された場合（ステップＳ１２０）、電源ＯＦＦが受け付けられ（ステップＳ１２４）、電源が切断される（ステップＳ１２５）。
アプリケーションプログラムの実行により、電源ＯＦＦが指定されていない場合（ステップＳ１２０）、入出力制御部１０９は、モードを判断する（ステップＳ１２１）。通常モードであると判断する場合（ステップＳ１２１）、通常アイコングループを表示するように、タッチパネル１１１を制御して、通常アイコングループを表示する（ステップＳ１２３）。次に、ステップＳ１１６へ制御を移す。一方、破損時モードであると判断する場合（ステップＳ１２１）、破損時アイコングループを表示するように、タッチパネル１１１を制御して、破損時アイコングループを表示する（ステップＳ１２３）。次に、ステップＳ１１６へ制御を移す。
【０１０２】
携帯端末装置１００の電源がＯＮに投入された場合（ステップＳ１２７）、入出力制御部１０９は、モードを判断する（ステップＳ１２８）。通常モードであると判断する場合（ステップＳ１２８）、通常アイコングループを表示するように、タッチパネル１１１を制御して、通常アイコングループを表示する（ステップＳ１２９）。次に、ステップＳ１１６へ制御を移す。一方、破損時モードであると判断する場合（ステップＳ１２８）、破損時アイコングループを表示するように、タッチパネル１１１を制御して、破損時アイコングループを表示する（ステップＳ１３０）。次に、ステップＳ１１６へ制御を移す。
【０１０３】
次に、破損時アイコングループの生成の動作について、図２２に示すフローチャートを用いて、説明する。特に、一例として、２行２列の行列状の表示枠において、アイコンの配置数及び配置位置を、決定する場合について、説明する。
入出力制御部１０９は、破損時表示領域の左上の近傍に、開始点を設定する（ステップＳ２００）。
【０１０４】
次に、入出力制御部１０９は、開始点から、１個のアイコン間隔分だけＸ軸正方向に、第１検査点を設定する（ステップＳ２０１）。次に、入出力制御部１０９は、設定した第１検査点が、破損時表示領域内に存在するか否かを判断する（ステップＳ２０２）。
設定した第１検査点が、破損時表示領域内に存在しない場合（ステップＳ２０３）、開始点から、１個のアイコン間隔分だけＹ軸負方向に、第２検査点を設定する（ステップＳ２０４）。次に、入出力制御部１０９は、設定した第２検査点が、破損時表示領域内に存在するか否かを判断する（ステップＳ２０５）。
【０１０５】
入出力制御部１０９は、設定した第２検査点が、破損時表示領域内に存在しない場合（ステップＳ２０６）、アイコンの配置数を「１」とする（ステップＳ２０７）。次に、アイコングループテーブル１３０から、閉領域グループ数及びアイコン配置数に適合するアイコン識別子を抽出する。また、入出力制御部１０９は、破損時表示領域に表示されるべき各アイコンについて、当該アイコンを識別するアイコン識別子及び生成したアイコン表示位置を、アイコン表示位置情報として、アイコン表示位置テーブル１５０に書き込む。（ステップＳ２１４）。これで、処理を終了する。
【０１０６】
一方、入出力制御部１０９は、設定した第２検査点が、破損時表示領域内に存在する場合（ステップＳ２０６）、アイコンの配置数を「２」とし、配置方向を縦とする（ステップＳ２０７）。次に、ステップＳ２１４へ制御を移す。
次に、入出力制御部１０９は、設定した第１検査点が、破損時表示領域内に存在する場合（ステップＳ２０３）。アイコンの配置数を「２」とし、配置方向を横とする（ステップＳ２０９）。次に、開始点から、１個のアイコン間隔分だけＸ軸正方向に、さらに、１個のアイコン間隔分だけＹ軸負方向に、第３検査点を設定する（ステップＳ２１０）。
【０１０７】
次に、入出力制御部１０９は、設定した第３検査点が、破損時表示領域内に存在するか否かを判断する（ステップＳ２１１）。
設定した第３検査点が、破損時表示領域内に存在しない場合（ステップＳ２１２）、ステップＳ２１４へ制御を移す。
設定した第３検査点が、破損時表示領域内に存在する場合（ステップＳ２１２）、アイコンの配置数を「４」とし、配置方向を縦及び横とする（ステップＳ２１３）。次に、ステップＳ２１４へ制御を移す。
【０１０８】
１．３  まとめ
本実施の形態の携帯端末装置１００においては、表示パネルの一部分のみが破損した場合であっても、操作を受け付けることができることを目的としている。
本目的を達成するため、携帯端末装置１００は、画像を表示するとともに、その表示面上における利用者による接触操作を検出し、その接触位置を出力するタッチパネル１１１と、利用者からボタン操作による入力を受け付ける操作部１１３と、操作部１１３により特定のボタン操作を受け付け、かつ、タッチパネル１１１から前記接触位置を受け取った場合、前記接触位置により形成される閉領域内において、操作のための画像を表示するように制御する入出力制御部１０９とを備えることを特徴とする。
【０１０９】
利用者は、タッチパネル１１１の表示面のうち、画像を視認できる領域において、言い換えると、破損していないと考える領域において、閉領域を形成するように、上記の接触操作を行う。
利用者による接触操作により形成された閉領域は、タッチパネル１１１の表示面のうち、利用者により画像が視認された領域である。この閉領域に操作のための画像を表示するので、利用者は、その画像を視認できる可能性が高い。このため、表示された画像を用いて、携帯端末装置１００に対する操作を行うことができるのである。
【０１１０】
このように、表示面の一部分のみが破損した場合であっても、利用者による接触操作により形成された閉領域内に、操作のための画像を表示する。利用者は、こうして表示された画像を用いて、携帯端末装置１００を操作できるという優れた効果を奏する。
２．その他の変形例
なお、本発明を上記の実施の形態に基づいて説明してきたが、本発明は、上記の実施の形態に限定されないのはもちろんである。以下のような場合も本発明に含まれる。
【０１１１】
（１）携帯端末装置１００においては、破損時表示領域内に表示すべきアイコンの配置数を決定した後、図３に示すアイコングループテーブル１３０を用いて、決定した配置数に対応する複数のアイコン識別子を求めている。しかし、これには限定されない。
次に示すようにしてもよい。
携帯端末装置１００において動作する複数のアプリケーションプログラムには、図４のアイコンテーブル１４０に示すように、優先順位が設定されている。
【０１１２】
このとき、入出力制御部１０９は、より高い優先順位が設定されているアプリケーションプログラムについてのアイコンを表示するとしてもよい。
具体的には、入出力制御部１０９は、アイコンテーブル１４０に示されるアイコン識別子のうち、より高い優先順位が設定されているアイコン識別子から、決定した配置数だけのアイコン識別子を選択する。次に、選択したアイコン識別子により示されるアイコンを表示するとしてもよい。
【０１１３】
（２）携帯端末装置１００は、閉領域が決定した直後に、閉領域が決定した旨を利用者に報知するとしてもよい。
ここで、閉領域が決定した旨を伝える音声メッセージをスピーカ１０４により出力するとしてもよい。
また、バイブレータ１１２により、特定パターンの振動をさせることにより、閉領域が決定した旨を報知するとしてもよい。
【０１１４】
（３）図４に示すアイコンテーブル１４０において、各アイコン情報は、予め、固定の優先順位を含んでいる。しかし、これには限定されない。
利用者は、各アイコンについて、言い換えると、各アプリケーションプログラムについて、優先順位を新たに設定し、又は、設定された優先順位を変更できるとしてもよい。
（４）上記の携帯端末装置１００においては、破損時表示領域に、その大きさに応じて定まる個数のアイコンを表示している。しかし、これには限定されない。
【０１１５】
破損時表示領域において、利用者のスクロール操作により、表示されたアイコンを移動させるとしてもよい。この結果、破損時表示領域に、実質的に、その大きさに応じて定まる個数以上の個数のアイコンを表示できる。
（５）上記の携帯端末装置１００においては、破損時表示領域に、その大きさに応じて定まる個数のアイコンを表示している。しかし、これには限定されない。
【０１１６】
個々のアイコンの大きさを縮小して表示してもよい。例えば、元々、３２ドット×３２ドットで表示されていたアイコンを、１６ドット×１６ドットに縮小し、縮小されたアイコンを表示してもよい。この結果、破損時表示領域に、その大きさに応じて定まる個数以上の個数のアイコンを表示できる。
縮小されるアイコンの大きさは、１６ドット×１６ドットには、限らない。さらに小さくしてもよい。
【０１１７】
また、縮小されたアイコンを予め記憶しておき、記憶している縮小されたアイコンを用いるとしてもよい。
（６）本発明は、携帯端末装置１００を制御する制御方法であるとしてもよい。また、これらの方法をコンピュータにより実現するコンピュータプログラムであるとしてもよいし、前記コンピュータプログラムからなるデジタル信号であるとしてもよい。ここで、コンピュータプログラムは、所定の機能を達成するために、コンピュータに対する指令を示す命令コードが複数個組み合わされて構成されたものである。
【０１１８】
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０１１９】
また、本発明は、前記コンピュータプログラム又は前記デジタル信号を、電気通信回線、無線又は有線通信回線、インターネットを代表とするネットワーク、データ放送等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１２０】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（７）本発明の一態様は、画像を表示するとともに、表示面上における利用者による接触操作を検出し、その接触位置を出力するタッチパネルと、利用者からボタン操作による入力を受け付ける操作部と、前記操作部により特定のボタン操作を受け付け、かつ、前記タッチパネルから前記接触位置を受け取った場合、前記接触位置により形成される閉領域内において、操作のための画像を表示するように制御する入出力制御部とを備えることを特徴とする携帯端末装置である。
【０１２１】
この態様によると、タッチパネルの表示面の一部分のみが破損した場合であっても、利用者による接触操作により形成された閉領域内に、操作のための画像を表示するので、利用者は、表示された画像を用いて、携帯端末装置に対する操作をすることができるという優れた効果を奏する。
ここで、前記入出力制御部は、さらに、前記閉領域が形成された後、前記タッチパネルから出力される接触位置のうち、前記閉領域内に存在するもののみを受け取るとしてもよい。
【０１２２】
この態様によると、前記接触位置のうち、前記閉領域外に存在するものは、利用者による誤操作等のために発生するものと考えられる。このような接触位置を受け取らないようにすることにより、処理の効率を向上させることができる。
ここで、前記入出力制御部は、前記閉領域内において、少なくとも１個の処理画像を表示し、前記処理画像は、当該携帯端末装置において動作するアプリケーションプログラムを起動させるために用いられるとしてもよい。
【０１２３】
この態様によると、利用者は、処理画像に対する接触操作を行うことにより、対応するアプリケーションプログラムを起動させることができる。
ここで、前記アプリケーションプログラムは、音声により電話の発呼を行い、通話することができる機能を有するとしてもよい。
この態様によると、利用者は、当該アプリケーションプログラムを起動したのち、音声により電話の発呼を行い、通話することができる。
【０１２４】
ここで、当該携帯端末装置において動作する複数のアプリケーションプログラムには、優先順位が設定されており、前記入出力制御部は、より高い優先順位が設定されているアプリケーションプログラムについての処理画像を表示してもよい。
この態様によると、閉領域内に、高い優先順位が設定されたアプリケーションプログラムについての処理画像が表示されるので、利用者が所望するアプリケーションプログラムを選択できる可能性を高くすることができる。
【０１２５】
ここで、前記入出力制御部は、前記閉領域の大きさに応じて、前記閉領域内に表示可能な処理画像の数を算出し、算出された数の処理画像を表示するとしてもよい。
この態様によると、閉領域内にその大きさに応じた数の処理画像を表示できる。
ここで、前記携帯端末装置は、さらに、前記閉領域に表示可能な処理画像の数に対応して、処理画像の数と同数の処理画像識別子を記憶している記憶部を含み、前記処理画像識別子は、処理画像を識別し、前記入出力制御部は、前記記憶部から処理画像識別子を読み出し、読み出した処理画像識別子により識別される処理画像を表示するとしてもよい。
【０１２６】
この態様によると、前記閉領域に表示可能な処理画像の数に対応して、閉領域内に表示すべき処理画像が定まっているので、利用者が所望する処理画像を選択できる可能性を高くすることができる。
また、本発明の別の一態様は、携帯端末装置において用いられる制御方法である。前記携帯端末装置は、画像を表示するとともに、その表示面上における利用者による接触操作を検出し、その接触位置を出力するタッチパネルと、利用者からボタン操作による入力を受け付ける操作部とを含む。前記制御方法は、前記タッチパネルにより、前記接触位置を出力する出力ステップと、前記操作部により、前記ボタン操作による入力を受け付ける入力ステップと、前記操作部により特定のボタン操作を受け付け、かつ、前記タッチパネルから前記接触位置を受け取った場合、前記接触位置により形成される閉領域内において、操作のための画像を表示するように制御する入出力ステップとを含むことを特徴とする。
【０１２７】
この態様によると、携帯端末装置のタッチパネルの表示面の一部分のみが破損した場合であっても、携帯端末装置を制御して、利用者による接触操作により形成された閉領域内に、操作のための画像を表示させることができるので、利用者は、表示された画像を用いて、携帯端末装置に対する操作をすることができるという優れた効果を奏する。
（８）上記実施の形態及び上記変形例をそれぞれ組み合わせるとしてもよい。
【産業上の利用可能性】
【０１２８】
本発明にかかる携帯端末装置の一態様では、タッチパネルの表示面の一部分のみが破損した場合であっても、利用者による接触操作により形成された閉領域内に、操作のための画像を表示する。利用者は、こうして表示された画像を用いて、携帯端末装置を操作できるという優れた効果を奏し、主として接触により操作される携帯端末装置として、有用である。
【符号の説明】
【０１２９】
１００    携帯端末装置
１０１    アンテナ
１０２    通信回路
１０３    音声処理部
１０４    スピーカ
１０５    マイクロホン
１０６    通信制御部
１０６    入出力制御部
１０７    音声制御部
１０８    主制御部
１０９    入出力制御部
１１０    記憶部
１１１    タッチパネル
１１１ａ  タッチパッド部
１１１ｂ  表示パネル部
１１２    バイブレータ
１１３    操作部
【図１】
0005865179.tif 000002
【図２】
0005865179.tif 000003
【図３】
0005865179.tif 000004
【図４】
0005865179.tif 000005
【図５】
0005865179.tif 000006
【図６】
0005865179.tif 000007
【図７】
0005865179.tif 000008
【図８】
0005865179.tif 000009
【図９】
0005865179.tif 000010
【図１０】
0005865179.tif 000011
【図１１】
0005865179.tif 000012
【図１２】
0005865179.tif 000013
【図１３】
0005865179.tif 000014
【図１４】
0005865179.tif 000015
【図１５】
0005865179.tif 000016
【図１６】
0005865179.tif 000017
【図１７】
0005865179.tif 000018
【図１８】
0005865179.tif 000019
【図１９】
0005865179.tif 000020
【図２０】
0005865179.tif 000021
【図２１】
0005865179.tif 000022
【図２２】
0005865179.tif 000023